(57)【要約】【課題】  表示パネルの開閉及び回動の２軸を交差／非交差のいずれにも設定可能な安価で電子機器の形状デザインに制約を与えないヒンジ機構を提供する。【解決手段】  第２の回動軸（Ｘ）は、その軸方向に所定幅（Ｗｘ）を有しその軸から離れる方向に延出しこの軸と一体的に回動する延出部（９ｂ３）を備え、第１の回動軸（Ｙ）は、その軸から所定の距離（Ｒ）隔てた第１の回動軸回りの所定の角度範囲（α）に配置されると共に、所定幅（Ｗｘ）より広い間隙（Ｗｙ）を有し第１の回動軸方向に並列配置されこの軸と共に回動する一対の回動規制部（１０ｃ８，１０ｄ８）を備え、この一対の回動規制部を、第１の回動軸が回動する際に延出部が間隙（Ｗｙ）に位置するように配置し、延出部が所定の角度範囲（α）ある場合に、第２の回動軸の回動を延出部が回動規制部に当接して規制する構成にした。【選択図】      図３
2005155779.tif 000002
【特許請求の範囲】
【請求項１】
直交して配置された第１及び第２の回動軸を有し、前記第１の軸の回動位置に応じて、前記第２の軸の回動を可能とするヒンジ機構において、
前記第２の回動軸は、
該第２の軸方向に所定の幅を有して前記第２の回動軸から離れる方向に延出し、前記第２の回動軸と共に回動する延出部を備え、
前記第１の回動軸は、
該第１の回動軸の回動中心から所定の距離隔てた位置における第１の回動軸回りの所定の角度範囲に配置されると共に、前記所定の幅よりも広い間隙を有して前記第１の回動軸方向に並列配置され前記第１の回動軸と共に回動する一対の回動規制部を備え、
該一対の回動規制部を、前記第１の回動軸が回動する際に前記延出部が前記間隙に位置するように配置すると共に、前記延出部が前記所定の角度範囲に位置する場合に、前記第２の回動軸の回動を前記延出部が前記回動規制部に当接して規制する構成にしたことを特徴とするヒンジ機構。
【請求項２】
本体と、
画像表示面を有して該本体に請求項１記載のヒンジ機構を介して連結された表示パネルとを備え、
前記第１の回動軸を、前記表示パネルを前記本体に収納された第１の位置から前記本体に対して略直立させた第２の位置まで回動するパネル開閉軸にすると共に、
前記第２の回動軸を前記表示パネルに沿う方向に設け、
前記表示パネルを、少なくとも前記第２の位置で前記第２の回動軸回りに回動可能としたことを特徴とする電子機器。
【発明の詳細な説明】
【技術分野】
【０００１】
本発明は、ヒンジ機構及びそれを用いた電子機器に係り、特に、画像表示パネルを搭載した電子機器とそれに用いられるヒンジ機構とに好適なものである。
【背景技術】
【０００２】
近年、電子機器やその一形態である撮像装置（ビデオカメラやデジタルスチルカメラ等）の多くは、液晶表示素子等による画像表示パネルを搭載し、これに画像を表示する機能を備えている。
この液晶パネルは、ヒンジ機構を介して電子機器本体と連結されている。そして、この本体に対して開閉可能であり、また、開いた状態で表示画面を上方あるいは下方へ向けられるように一軸回りに回動可能な構成とされている。
【０００３】
ところで、開いた液晶パネルを上向きや下向きに回動させ、そのまま本体側に閉じようとすると、パネルの本体側角部が本体に当たり、本体やパネルを損傷する可能性がある。そこで、通常、この回動動作を、液晶パネルが本体に対して概ね９０°開いた状態でのみ可能にすると共に、回動した状態では閉じられないようにヒンジ機構で規制している。
【０００４】
この回動規制機能を備えたヒンジ機構の一例として、特許文献１に記載されたものがある。
このヒンジ機構は、窄んだ先端を有する一対の第１の軸をこの先端側が対向するように配置する一方、細径部を有する第２の軸を、この細径部に第１の軸の窄んだ先端部が入り込むように配置して、窄んだ先端部の回動位相に応じて第２の軸の回動を規制する構成にされたものである。
【特許文献１】特開２００２−２６６８３９号公報
【発明の開示】
【発明が解決しようとする課題】
【０００５】
しかしながら、上述した従来のヒンジ機構は、以下のような問題があった。
即ち、このヒンジ機構は、２つの軸が交差する場合に適用できるものであり、交差しない２軸には適用できない。
近年、ビデオカメラの形状デザインは多様化しており、液晶パネルの開閉及び回動動作における各軸の配置も、本体の形状デザイン応じて非交差となる配置も任意に設定できなければならない。
従って、従来のヒンジ機構は、このビデオカメラの形状デザインに大きな制約を与えるものであった。
【０００６】
また、液晶パネルの閉じる動きを規制する際に、その回動させる力に抗するために軸に負荷されるトルクは極めて大きい。
従来のヒンジ機構における一対の軸は、先端が先細りになっており、強度的に弱いものである。このため、軸の材料として、過大なトルクに耐える特別に高硬度のものを選定したり、焼き入れ等の熱処理で硬度を上げたものを選定する必要があった。また、軸の形状が複雑であり極めて高精度の加工を施す必要があった。  従って、このヒンジ機構は高価であるという問題があった。
【０００７】
そこで、本発明は、画像表示パネルの開閉及び回動の２軸を交差または非交差のいずれにも設定可能で、所定角度範囲で一方の軸回りの回動を規制でき、安価であり、電子機器の形状デザインに制約を与えないヒンジ機構を提供する。
また、安価であり、形状デザインの制約のない電子機器を提供することにある。
【課題を解決するための手段】
【０００８】
上記の課題を解決するために、本願発明は手段として次の構成を有する。
即ち、請求項１に係る発明は、直交して配置された第１及び第２の回動軸（Ｙ，Ｘ）を有し、前記第１の軸（Ｙ）の回動位置に応じて、前記第２の軸（Ｘ）の回動を可能とするヒンジ機構（５）において、
前記第２の回動軸（Ｘ）は、該第２の回動軸（Ｘ）方向に所定の幅（Ｗｘ）を有して前記第２の回動軸（Ｘ）から離れる方向に延出し、前記第２の回動軸（Ｘ）と共に回動する延出部（９ｂ３）を備え、前記第１の回動軸（Ｙ）は、該第１の回動軸（Ｙ）の回動中心から所定の距離（Ｒ）隔てた位置における第１の回動軸（Ｙ）回りの所定の角度範囲（α）に配置されると共に、前記所定の幅（Ｗｘ）よりも広い間隙（Ｗｙ）を有して前記第１の回動軸（Ｙ）方向に並列配置され前記第１の回動軸（Ｙ）と共に回動する一対の回動規制部（１０ｃ８，１０ｄ８）を備え、該一対の回動規制部（１０ｃ８，１０ｄ８）を、前記第１の回動軸（Ｙ）が回動する際に前記延出部（９ｂ３）が前記間隙（Ｗｙ）に位置するように配置すると共に、前記延出部（９ｂ３）が前記所定の角度範囲（α）に位置する場合に、前記第２の回動軸（Ｘ）の回動を前記延出部（９ｂ３）が前記回動規制部（１０ｃ８，１０ｄ８）に当接して規制する構成にしたことを特徴とするヒンジ機構（５）である。
また、請求項２に係る発明は、本体（１００Ａ）と、画像表示面（４ａ）を有して該本体（１００Ａ）に請求項１記載のヒンジ機構（５）を介して連結された表示パネル（４）とを備え、前記第１の回動軸（Ｙ）を、前記表示パネル（４）を前記本体（１００Ａ）に収納された第１の位置から前記本体（１００Ａ）に対して略直立させた第２の位置まで回動するパネル開閉軸（Ｙ）にすると共に、前記第２の回動軸（Ｘ）を前記表示パネル（４）に沿う方向に設け、前記表示パネル（４）を、少なくとも前記第２の位置で前記第２の回動軸（Ｘ）回りに回動可能としたことを特徴とする電子機器（１００）である。
【発明の効果】
【０００９】
本発明によれば、ヒンジ機構が２軸の交差あるいは非交差のいずれの場合においても安価に得られるという効果を奏する。
また、電子機器が安価で自由な形状デザインが可能になるという効果を奏する。
【発明を実施するための最良の形態】
【００１０】
本発明の実施の形態を、好ましい実施例により図１〜図９を用いて説明する。
図１は、本発明のヒンジ機構とそれを用いた電子機器の実施例を示す第１の外観斜視図であり、
図２は、本発明のヒンジ機構とそれを用いた電子機器の実施例示す第２の外観斜視図であり
図３は、本発明のヒンジ機構の実施例を説明する分解図であり、
図４は、本発明のヒンジ機構の実施例を示す第１の斜視図であり、
図５は、本発明のヒンジ機構の実施例を示す第２の斜視図であり、
図６は、本発明のヒンジ機構の実施例を示す第３の斜視図であり、
図７は、本発明のヒンジ機構の実施例における他の形態の要部を説明する概略図であり、
図８は、本発明のヒンジ機構を用いた電子機器の実施例を説明する図であり、
図９は、本発明のヒンジ機構を用いた電子機器の実施例を説明する他の図である。
【００１１】
本発明のヒンジ機構の実施例とそれを用いた電子機器の実施例とを図１，図２に示す。当実施例は、電子機器の内、撮像装置（ビデオカメラ）について実施した例である。
図１は、画像表示パネルを閉じて撮像装置の本体に収納じた状態を示し、図２は、画像表示パネルを概ね９０°に開いた状態を示している。
また、画像表示パネルは、画像表示に液晶表示素子を用いた例として説明するが、これに限るものではない。
【００１２】
撮像装置１００は、その本体１００Ａに、レンズ１ａ及び撮像素子１ｂを有して被写体の像を映像信号に変換する撮像部１と、この映像信号の信号処理等をすると共に撮影動作等を制御する制御部２と、記録媒体３ａを有し映像信号をこの記録媒体３ａに記録する記録部３と、液晶表示素子４ａを有し記録画像または再生画像をモニター可能とする液晶パネル４とを備えている。
記録媒体３ａとしては、磁気テープ，固体メモリ，光（光磁気）ディスク等種々の媒体が使用できる。
【００１３】
液晶パネル４と撮像装置本体１００Ａとは、ヒンジ部５を介して連結されている。
このヒンジ部５は、概ね光軸ＣＬと平行に設定された回動軸Ｘと、この回動軸Ｘと直交して交差するように設定された開閉軸Ｙとを有しており、液晶パネル５を開閉軸Ｙ回りに開閉可能とし、この液晶パネル４が概ね９０°開いた状態でのみ、それを回動軸Ｘ回りに回動可能にするものである。
本体１００Ａには、液晶パネル４が閉じた状態でこれが突出せずに本体１００Ａに収納させる収納部６が凹部として形成されている。
【００１４】
図２は、この液晶パネル４が９０°開いた状態を示す斜視図である。
通常、撮影者１０１が撮影する場合は、液晶パネル４をこの位置まで開き、次に回動軸Ｘの回りに所望角度回転させて液晶表示素子４ａの画面を例えば矢印Ｍの方向から視認できるようにする。
当図において、液晶パネル４の時計回り方向の回動を回動Ｒ２、反時計回り方向の回動を回動Ｒ１で示している。
【００１５】
次に、ヒンジ部５の詳細を説明する。
図３は、本発明のヒンジ装置（部）の実施例を説明する分解図である。
このヒンジ部５は、直交して交差する開閉軸Ｙと回動軸Ｘとの２軸を有している。
理解を容易にするため、以下、回動軸Ｘに関わる部位等の符号を１０ａ，１０ｂ，…とし、開閉軸Ｙに関わる部位等の符号を９ａ，９ｂ，…として説明する。
【００１６】
＜回動軸Ｘに関わる部材について＞
まず、回動軸Ｘに関わる部材について説明する。
第１ブラケット１０ａは、Ｌ字状に曲げられた２つの平面部１０ａ３，１０ａ４を有するベース部１０ａ１と、その１つの平面部１０ａ４に立設固定された第１シャフト１０ａ２とから成る。
他方の平面部１０ａ３の手前面（斜線部）が、本体１００Ａ（図示せず）側部材に密着し、本体１００Ａとこのブラケットとは、固定孔１０ａ６を介してねじ５０により締結され一体化される。
平面部１０ａ４には、矩形の開口部１０ａ５が形成されている。
【００１７】
ベース１０ｂは、４辺を直角に立ち上げられた略箱状である。
この折り曲げられた折曲部１０ｂ１〜１０ｂ４の内の対向する折曲部１０ｂ１，１０ｂ３には、それぞれ第１及び第２シャフト孔１０ｂ５，１０ｂ６が形成されている。
折曲部１０ｂ４の先端側はさらに折り曲げられてプレート部１０ｂ７が形成されている。このプレート部１０ｂ７には、第３シャフト孔１０ｂ８が設けられている。
さらに、この第３シャフト孔１０ｂ８に対向する面には開口部１０ｂ９が形成されている。
【００１８】
第１ロックプレート１０ｃは、略コ字状に折り曲げられたコ字状部１０ｃ１と、コ字状部１０ｃ１の一方の腕部（第２腕部）１０ｃ２に連接して折り曲げられて所定形状にされたストッパ部１０ｃ３とから成る。
第１及び第２腕部１０ｃ４，１０ｃ２には、それぞれ同軸同径で第５，第６シャフト孔１０ｃ５，１０ｃ６が形成されている。
第１腕部１０ｃ４の先端には、折り曲げられて外方向に突出した係合片１０ｃ７が形成されている。
ストッパ部１０ｃ３は、第５，第６シャフト孔１０ｃ５，１０ｃ６の軸から半径Ｒの円弧状に形成された円弧状部１０ｃ８を有している。
【００１９】
第２ロックプレート１０ｄは、第１ロックプレート１０ｃと一部を除いて面対称に形成されたものである。
第２ロックプレート１０ｄは、略コ字状に折り曲げられたコ字状部１０ｄ１と、コ字状部１０ｄ１の一方の腕部（第２腕部）１０ｄ２に連接して折り曲げられ、所定形状にされたストッパ部１０ｄ３とから成る。
第１腕部１０ｄ４には、第７シャフト孔１０ｄ５が形成されている。
一方、第２腕部１０ｄ２には、第８シャフト孔１０ｄ６が、第７シャフト孔１０ｄ５と同軸でそれよりも小径に形成されている。
第１腕部１０ｄ４の先端には、折り曲げられて外方向に突出した係合片１０ｄ７が形成されている。
ストッパ部１０ｄ３は、第７，第８シャフト孔の軸から半径Ｒの円弧状に形成された円弧状部１０ｄ８を有している。
【００２０】
第２シャフト１０ｅは、頭部１０ｅ１と第１径部１０ｅ２とこれより小径の第２径部１０ｅ３を有している。
【００２１】
バネ座金１０ｆは、軸方向の弾性を有し回動負荷を付与するものである。これにより、所望の回動トルクが発生でき、液晶パネル４を開閉する際に良好な感触が得られる。
【００２２】
カラー１０ｇは軸方向の隙間を埋めるものである。
【００２３】
第２ブラケット１０ｈは、第１ブラケット１０ａと略面対称に形成されている。
この第２ブラケット１０ｈは、Ｌ字状に曲げられた２つの平面部１０ｈ３，１０ｈ４を有するベース部１０ｈ１を有し、その１つの平面部１０ｈ４には第９シャフト孔１０ｈ２が設けられている。
他方の平面部１０ｈ３の手前面（斜線部）は、本体１００Ａ（図示せず）に密着し、本体１００Ａとこのブラケットとは、固定孔１０ｈ６を介してねじ５０により締結される。
平面部１０ｈ４には、矩形の開口部１０ｈ５が形成されている。
【００２４】
＜開閉軸Ｙに関わる部品について＞
次に、開閉軸Ｙに関わる部品について説明する。
ＬＣＤプレート９ａは、一端側９ａ３を折り曲げて補強した平板状であり、中央にメインシャフト９ａ１（以下、Ｍシャフト９ａ１と称する）を立設固定して成る。
また、固定孔９ａ２が形成され、これを介してねじ５０により液晶パネル４と締結される。
Ｍシャフト９ａ１は、Ｄ面カット部９ａ３が形成されると共に複数の径を有する所定形状に形成されている。
【００２５】
規制板９ｂは、Ｍシャフト９ａ１と係合するＤ字状孔９ｂ１を中央に有し、半径Ｒｂの扇状部９ｂ２と延出部９ｂ３とを連結した板状部材である。
延出部９ｂ３は、所定の幅Ｗｘで形成されている。
【００２６】
サブベース９ｃは、対向する２辺を立ち上げた第１，第２立ち上げ部９ｃ１，９ｃ２を有し、第１立ち上げ部９ｃ１には、第１０シャフト孔９ｃ３が形成され、第２立ち上げ部９ｃ２には、Ｕ字状切欠部９ｃ４が形成されている。
中央には、第１Ｍシャフト孔９ｃ５が形成されており、また、第１，第２立ち上げ部とは反対方向に立ち上げられた係合部９ｃ６が設けられている。
【００２７】
バネ座金９ｄは、軸方向の弾性を有し回動負荷を付与するものである。これにより、所望の回動トルクが発生でき、液晶パネル４を回動する際に良好な感触が得られる。
【００２８】
ストッパプレート９ｅは、外周の一部を突出させた突出部９ｅ１を有する略円形の板である。中央には、Ｍシャフトと嵌合する第２Ｍシャフト孔９ｅ２が形成されている。
【００２９】
＜組み合わせについて＞
上述した各部材は、以下のように組み合わされてヒンジ機構を構成する。
本実施例においては、上述のように２つの軸が交差するように構成される。
【００３０】
まず、開閉軸Ｙについて説明する。
第１ブラケット１０ａの第１シャフト１０ａ２を、ベース１０ｂの第１シャフト孔１０ｂ５，ロックプレート１０ｃの第５シャフト孔，サブベース９ｃの第１０シャフト孔９ｃ３の順に通した後、先端にＣリング（図示せず）を装着して抜けないようにする。
この組み合わせにおいて、第１シャフト１０ａ２に対して、ベース１０ｂ，ロックプレート１０ｃ及びサブベース９ｃは、回動自在となっている。
【００３１】
一方、第２シャフト１０ｅを、バネ座金１０ｆ，第２ロックプレート１０ｄの第７シャフト孔１０ｄ５，ベース１０ｂの第２シャフト孔１０ｂ６，カラー１０ｇ，の順に通した後、第２ブラケット１０ｈの第９シャフト孔に圧入して固定する。
この組み合わせにおいて、第２シャフト１０ｅに対して、第２ロックプレート１０ｄ，ベース１０ｂ及びカラー１０ｇは、回動自在になっている。
また、第１ロックプレート１０ｃの係合片１０ｃ７を、第１ブラケット１０ａの開口部１０ａ５に係合させるので、両部材は開閉軸Ｙの回りに一体的に回動する。
同様に、第２ロックプレート１０ｄの係合片１０ｄ７を、第２ブラケット１０ｈの開口部１０ｈ５に係合させるので、両部材は開閉軸Ｙの回りに一体的に回動する。
この状態で、第１のロックプレート１０ｃのストッパ部１０ｃ３と第２のロックプレート１０ｄのストッパ部１０ｄ３との間の隙間Ｗｙは、上述した規制板９ｂの延出部９ｂ３の幅Ｗｘに対して僅かに大きく設定されている。
【００３２】
次に、回転軸Ｘについて説明する。
ＬＣＤプレート９のＭシャフト９ａ１を、ベース１０ｂの開口部１０ｂ９，第３シャフト孔１０ｂ８，規制板９ｂのＤ字状孔９ｂ１，サブベース９ｃの第１Ｍシャフト孔，バネ座金９の順に通し、ストッパプレート９ｅの第２Ｍシャフト孔９ｅ２に圧入して固定する。
この組み合わせにおいて、Ｍシャフト９ａ１に対して、ベース１０ｂ，サブベース９ｃ及びバネ座金９ｄは回動自在になっている一方、規制板９ｂ及びストッパプレート９ｅが一体で回動するようになっている。
【００３３】
上述のように組み合わせたヒンジ機構の外観を図４〜図６に示す。
図４は、液晶パネル４を閉じた状態を示し、図５は液晶パネル４を概ね４５°開いた状態を示し、図６は、液晶パネル４を９０°開いた状態を示している。
各状態について、以下に詳述する。
【００３４】
（ａ）液晶パネル４が閉じた状態（図４）
この状態において、規制板９ｂの延出部９ｂ３の左右端部は、第１ロックプレート１０ｃのストッパ部１０ｃ３、及び、第２ロックプレート１０ｄのストッパ部１０ｄ３とに僅かな隙間を有してほぼ当接するようになっている（当図の位置Ｇ）。
従って、液晶パネル４は、当然に回動軸Ｘ回りの回動が規制され、回動不可となっている。
一方、延出部９ｂ３は、２つのストッパ部１０ｃ３，１０ｄ３の間隙を開閉軸Ｙ回りの回動に伴い移動できるので、液晶パネル４は開閉可能である。
【００３５】
（ｂ）液晶パネル４が概ね４５°開いた状態（図５）
この状態において、規制板９ｂの延出部９ｂ３の左右端部は、第１ロックプレート１０ｃの円弧状部１０ｃ８、及び、第２ロックプレート１０ｄの円弧状部１０ｄ８とに僅かな隙間を有してほぼ当接するようになっている（当図の位置Ｇ１）。
従って、液晶パネル４は、当然に回動軸Ｘ回りの回動が規制され、回動不可となっている。
一方、延出部９ｂ３は、２つの円弧状部１０ｃ８，１０ｄ８の間隙を開閉軸Ｙ回りの回動に伴い移動できるので、液晶パネル４は開閉可能である。
【００３６】
（ｃ）液晶パネル４が９０°開いた状態（図６）
この状態において、規制板９ｂの延出部９ｂ３の左右端部は、第１ロックプレート１０ｃの円弧状部１０ｃ８の端部１０ｃ９、及び、第２ロックプレート１０ｄの円弧状部１０ｄ８の端部１０ｄ９よりも下方に位置している。
そのため、延出部９ｂ３は、当図の矢印Ｒ５，Ｒ６方向に移動可能である。
従って、液晶パネル４は、回動軸Ｘ回りの回動が許容され、回動可能となっている。
【００３７】
この回動可能な角度の規制は、サブベース９ｃの係合部９ｃ６にストッパプレート９ｅの突出部９ｅ１の端部９ｅ１ａが当接することで行われる。回転不可とする角度範囲に応じてこの突出部９ｅ１の円弧状幅ｒｈを設定すればよい。
一方、上述のように、延出部９ｂ３の幅Ｗｘは２つの円弧状部１０ｃ８，１０ｄ８の間隙Ｗｙより僅かに狭く設定されているので、延出部９ｂ３は開閉軸Ｙ回りの回動に伴い移動でき液晶パネル４は開閉可能となっている。
【００３８】
以上、詳述したように、延出部９ｂ３の回動をどの角度範囲で規制するかは、円弧状部１０ｃ８，１０ｄ８の当接位置Ｇから端部１０ｃ９，１０ｄ９の位置で設定することができる。即ち、図６に示す角度αの範囲が規制範囲となる。
撮像装置が通常の形態である箱状の場合、撮影者が良好に操作できるためには、液晶パネル４を約８５°〜９０°に開いた場合にのみ回動可能とするように円弧状部１０ｃ８，１０ｄ８の端部１０ｃ９，１０ｄ９の位置を設定するのが好ましい。
【００３９】
次に、回動軸Ｘと開閉軸Ｙとが非交差の場合について説明する。
図７は、回動軸Ｘと開閉軸Ｙとが距離ｄだけ離間している場合におけるヒンジ機構の実施例要部を説明する概略図である。
この場合、円弧状部１０ｃ８，１０ｄ８を開閉軸Ｙから半径Ｒの円弧状に形成し、規制板９ｂの延出部９ｂ３を、円弧状部１０ｃ８，１０ｄ８に届くように距離ｄだけ延長した長さＬ９で形成すればよい。
これにより、円弧状部１０ｃ８，１０ｄ８の端部１０ｃ９，１０ｄ９の位置に応じた所定の角度まで規制板９ｂの回動を規制できるので、液晶パネル４の開閉及び回動動作について同じ動作が得られる。
【００４０】
また、回動軸Ｘが開閉軸Ｙの手前側（円弧状部側）に有る場合も、規制板９ｂの延出部９ｂ３を円弧状部１０ｃ８，１０ｄ８に届くように距離ｄに応じたＬ９を設定して形成すればよい。
ただし、この場合は、Ｌ９が比較的短くなるので、軸へのトルク負荷を低減するため、回動軸Ｘ，開閉軸Ｙ，円弧状部の順となるように構成したり（図７参照）、延出部９ｂ３の幅Ｗｘを広くして回動軸Ｘから当接部Ｇ３までの距離Ｌ１０をできるだけ離すように構成するのがよい。
【００４１】
ここまで、実施例における液晶パネル４を約９０°まで開かないと回動できないという構造について説明した。
次に、液晶パネル４を約９０°位置で回転させた状態で閉じようとした場合について説明する。
【００４２】
図８は、回動軸Ｘと開閉軸Ｙとが交差する場合について説明する図であり、図９は、非交差の場合について説明する図である。
両図共、撮像装置１００を下方から見た概略図（ｂ）及びそれを左側面から見た概略図（ａ）とで示している。
【００４３】
まず、各軸が交差する場合について図８を用いて説明する。
この図において、液晶パネル４は、本体１００Ａに対して約９０°開くと共に角度θだけ回動軸Ｘの回りに回動させた状態となっている。
この位置から角度θを維持したまま液晶パネル４を閉じようとすると、規制板９ｂの延出部９ｂ３が第２ロックプレート１０ｄの円弧状部１０ｄ８に部位Ｇ１で当接して回動が規制される。
従って、液晶パネル４は閉じることができない。
【００４４】
次に、各軸が非交差の場合について図９を用いて説明する。
この例では、回動軸Ｘが開閉軸Ｙよりも円弧状部１０ｄ８側に配置されているので、延出部９ｂ３の幅Ｗｘをより広く設定し当接部Ｇ２と回動軸Ｘとの距離Ｌ１０を長くすることで回動軸Ｘへの負荷を低減している。
この図において、液晶パネル４は、本体１００Ａに対して約９０°開くと共に角度θだけ回動させた状態となっている。
この位置から角度θを維持したまま液晶パネル４を閉じようとすると、規制板９ｂの延出部９ｂ３が第２ロックプレート１０ｄの円弧状部１０ｄ８に部位Ｇ２で当接して回転が規制される。
従って、液晶パネル４は閉じることができない。
【００４５】
以上、詳述した実施例によれば、液晶パネルの開閉及び回動の２軸が交差しても非交差であっても、所定角度範囲で回動を規制できる。
従って、撮像装置の形状デザインに制約が無くなり、様々な形状の撮像装置を提供することができる。
また、各軸に特別な加工が不要である。
さらに、回動を規制するための当接部が軸から距離Ｌ１０だけ離れているので（図５参照）、軸に過大なトルクがかからない。そのため、高硬度の特別な材料を使用したり、硬度を上げるための熱処理等を施さなくてもよい。
従って、安価にヒンジ機構を得ることができる。
【００４６】
本発明の実施例は、上述した構成に限定されるものではなく、本発明のこの要旨を逸脱しない範囲において変形例としてもよいのは言うまでもない。
２軸の交差／非交差に拘わらず、ほぼ直交して配置された第１及び第２の軸において、第１の軸に、この軸の中心から所定の距離だけ離隔した一対のストッパを所定の間隔だけ隔ててこの軸と一体的に設ける一方、一対のストッパの間隙となる位置に配置されると共に第１の軸を所定角度にした際にこのストッパと当接する当接部を第２の軸に一体的に設けたヒンジ構造及びこれを用いた電子機器であればよい。
【００４７】
例えば、円弧状部１０ｃ８，１０ｄ８は、中心からの半径Ｒが一定でなくてよい。また、完全な円弧状でなくてもよく、複数の直線部で構成されていてもよい。
また、各部材の材料は限定されるものではなく、強度や加工性を考慮して金属材やエンジニアリングプラスチック等から最適材を選択して用いることができる。
また、画像表示素子４ａは、液晶に限るものではない。有機ＥＬ，無機ＥＬ等の種々の表示素子を用いることができる。
上述した実施例は、ビデオカメラについて説明したが、電子機器はこれに限るものではない。スチルカメラ，携帯端末，携帯電話、カーナビゲーション等でもよい。
【図面の簡単な説明】
【００４８】
【図１】本発明のヒンジ機構とそれを用いた撮像装置の実施例を示す第１の外観斜視図である。
【図２】本発明のヒンジ機構とそれを用いた撮像装置の実施例示す第２の外観斜視図である。
【図３】本発明のヒンジ機構の実施例を説明する組立図である。
【図４】本発明のヒンジ機構の実施例を示す第１の斜視図である。
【図５】本発明のヒンジ機構の実施例を示す第２の斜視図である。
【図６】本発明のヒンジ機構の実施例を示す第３の斜視図である。
【図７】本発明のヒンジ機構の実施例における他の形態の要部を説明する概略図である。
【図８】本発明のヒンジ機構を用いた撮像装置の実施例を説明する図である。
【図９】本発明のヒンジ機構を用いた撮像装置の実施例を説明する他の図である。
【符号の説明】
【００４９】
１  撮像部
１ａ  レンズ
１ｂ  撮像素子
２  制御部
３  記録部
３ａ  記録媒体
４  液晶パネル（画像表示パネル）
４ａ  液晶表示素子（画像表示素子）
５  ヒンジ部
６  収納部
９ａ  ＬＣＤプレート
９ａ１  メインシャフト（Ｍシャフト）
９ａ２  固定孔
９ａ３  Ｄ面カット部
９ｂ  規制板
９ｂ１  Ｄ字状孔
９ｂ２  扇状部
９ｂ３  延出部
９ｃ  サブベース
９ｃ１，９ｃ２  第１，第２立ち上げ部
９ｃ３  第１０シャフト孔
９ｃ４  Ｕ字状切欠部
９ｃ５  第１Ｍシャフト孔
９ｄ  バネ座金
９ｅ  ストッパプレート
９ｅ１  突出部
９ｅ１ａ  端部
９ｅ２  第２Ｍシャフト孔
１０ａ  第１ブラケット
１０ａ１  ベース部
１０ａ２  第１シャフト
１０ａ３，１０ａ４  平面部
１０ａ５  開口部
１０ａ６  固定孔
１０ｂ  ベース
１０ｂ１〜１０ｂ４  折曲部
１０ｂ５，１０ｂ６  第１，第２シャフト孔
１０ｂ７  プレート部
１０ｂ８  第３シャフト孔
１０ｂ９  開口部
１０ｃ  第１ロックプレート
１０ｃ１  コ字状部
１０ｃ２  第２腕部
１０ｃ３  ストッパ部
１０ｃ４  第１腕部
１０ｃ５，１０ｃ６  第５，第６シャフト孔
１０ｃ７  係合片
１０ｃ８  円弧状部
１０ｄ  第２ロックプレート
１０ｄ１  コ字状部
１０ｄ２  第２腕部
１０ｄ３  ストッパ部
１０ｄ４  第１腕部
１０ｄ５  第７シャフト孔
１０ｄ６  第８シャフト孔
１０ｄ７  係合片
１０ｄ８  円弧状部
１０ｅ  第２シャフト
１０ｅ１  頭部
１０ｅ２，１０ｅ３  第１，第２径部
１０ｆ  バネ座金
１０ｇ  カラー
１０ｈ  第２ブラケット
１０ｈ１  ベース部
１０ｈ２  第９シャフト孔
１０ｈ３，１０ｈ４  平面部
１０ｈ５  開口部
１０ｈ６  固定孔
５０  ねじ
１００  ビデオカメラ（撮像装置）
１００Ａ  本体
１０１  撮影者
ＣＬ  光軸
Ｘ  回動軸（第２の回動軸）
Ｙ  開閉軸（第１の回動軸）
Ｇ，Ｇ１〜Ｇ３  当接部
Ｌ９，Ｌ１０  距離
ｒｈ  円弧状幅
Ｗｘ  （延出部の）幅
Ｗｙ  （ロックプレート間の）間隙幅
α  規制角度範囲
【図１】
2005155779.tif 000003
【図２】
2005155779.tif 000004
【図３】
2005155779.tif 000005
【図４】
2005155779.tif 000006
【図５】
2005155779.tif 000007
【図６】
2005155779.tif 000008
【図７】
2005155779.tif 000009
【図８】
2005155779.tif 000010
【図９】
2005155779.tif 000011